(57)【要約】      （修正有）【課題】調整可能なバンド中留を提供すること。【解決手段】第１の条片及び第２の条片４を備える展開尾錠型のバンド中留に関し、第１の条片及び第２の条片４は、着用のための閉鎖位置と少なくとも１つの開放位置との間で互いに連接され、第１の条片は、第１のバンド要素を取り付ける部材を支持し、第２の下側条片４は、その第２の端部に環部材２８を有し、環部材２８は、第２のバンド要素のための通路を画定し、突起３０を支持し、突起３０は、バンド要素内の適切な穴に挿入することを意図し、穴は突起３０を中留に固着する点を画定し、中留は、前記第１の条片及び前記第２の条片４をそれらの閉鎖位置で保持する少なくとも１つの係止部材を更に備え、突起３０は、環部材２８に対して移動可能であり、環部材２８を移動させるように構成した作動手段３４を備え、これにより少なくとも２つの事前に定義した位置を画定する。【選択図】図２
2020093094.tif 000002
【特許請求の範囲】
【請求項１】
第１の条片（２）及び第２の条片（４）を有する展開尾錠型のバンド中留（１）であって、前記第１の条片（２）及び前記第２の条片（４）は、前記第１の条片（２）及び前記第２の条片（４）のそれぞれの端部の第１の端部によって、着用のための閉鎖位置と少なくとも１つの開放位置との間で互いに連接し、前記第１の条片（２）は、第１のバンド要素を取り付ける部材（２０）を支持し、前記第２の下側条片（４）は、前記第２の下側条片（４）の第２の端部に環部材（２８）を備え、前記環部材（２８）は、第２のバンド要素のための通路を画定し、突起（３０）を支持し、前記突起（３０）は、前記バンド要素内の適切な穴に挿入することを意図し、前記穴は、前記突起（３０）を前記中留（１）に固着する点を画定し、前記中留（１）は、前記第１の条片（２）及び前記第２の条片（４）を閉鎖位置で保持する少なくとも１つの係止部材（１１）を更に含む、バンド中留（１）において、前記突起（３０）は、前記環部材（２８）に対して移動可能であり、作動手段（３４）を含み、前記作動手段（３４）は、前記突起を移動させるように構成し、これにより、少なくとも２つの事前に定義した位置を画定し、前記少なくとも２つの事前に定義した位置は、バンドの事前に定義した有用な長さに関連することを特徴とする、バンド中留（１）。
【請求項２】
前記突起（３０）は、前記突起（３０）と一体である基部（３１）を含み、前記基部（３１）は、前記環部材（２８）の筐体（３２）内で移動するように構成することを特徴とする、請求項１に記載の中留（１）。
【請求項３】
前記環部材（２８）は、楕円凹部（４０）を含み、前記突起（３０）は、前記楕円凹部（４０）を通過し、前記基部（３１）は、前記凹部（３２）と接触することを特徴とする、請求項１又は２に記載の中留（１）。
【請求項４】
前記環部材（２８）は、カバーを含み、前記カバーは、前記筐体（３２）を覆い、前記突起（３０）の前記基部（３１）と協働するように構成し、前記突起及び前記基部はそれぞれ、相補形案内手段を備えることを特徴とする、請求項１から３のいずれか一項に記載の中留（１）。
【請求項５】
前記カバー（２９）は、凹部（４２）を含み、前記凹部（４２）は、前記環部材筐体（３２）に面して置くように構成し、前記突起（３０）の前記基部（３１）が中で移動する空間を形成するようにすることを特徴とする、請求項４に記載の中留（１）。
【請求項６】
前記相補形案内手段は、一方に、前記突起（３０）と一体である側方羽根（３３）、及びもう一方に、前記カバー（２９）の前記凹部（４２）内に形成した案内溝（４３）を含み、前記溝は、前記側方羽根を案内するように構成することを特徴とする、請求項４又は５に記載の中留（１）。
【請求項７】
前記案内溝（４３）は、前記突起（３０）の個別の位置を画定する切り欠き部分（４４、４５）を備えることを特徴とする、請求項６に記載の中留（１）。
【請求項８】
前記作動手段は、ばねクリック部材（３４）を備え、前記ばねクリック部材（３４）は、前記突起（３０）の内部に配置し、前記クリック部材（３４）は、前記基部（３１）から部分的に突出することを特徴とする、請求項１から７のいずれか一項に記載の中留（１）。
【請求項９】
前記カバー（２９）は、前記環部材（２８）上に摺動可能に組み付け、前記カバーは、前記環部材上の適切な位置において、ねじ（４７）によって、前記環部材（２８）に機械加工した穴（４１）で保持することを特徴とする、請求項１から８のいずれか一項に記載の中留（１）。
【請求項１０】
前記環部材（２８）内に形成した前記筐体（３２）は、前記突起（３０）を適切な位置で保持する少なくとも１つの停止部材（３５）を含むことを特徴とする、請求項１から９のいずれか一項に記載の中留（１）。
【請求項１１】
請求項１から１０のいずれか一項に記載の中留（１）を備えるバンドを含む腕時計。
【発明の詳細な説明】
【技術分野】
【０００１】
本発明は、第１の条片及び第２の条片を有する展開尾錠型のバンド中留に関し、第１の条片及び第２の条片は、第１の条片及び第２の条片のそれぞれの端部の第１の端部によって、着用のための閉鎖位置と少なくとも１つの開放位置との間で互いに連接され、第１の条片は、第１のバンド要素を取り付ける部材を支持し、第２の下側条片は、その第２の端部に、第２のバンド要素のための通路を画定する環部材を備え、突起を支持し、突起は、バンド要素内の適切な穴に挿入することを意図し、穴は、突起を中留に固着する点を画定し、中留は、第１の条片及び第２の条片をそれらの閉鎖位置で保持する少なくとも１つの係止部材を更に備える。
【０００２】
本発明は、そのような中留を備える腕時計にも関する。
【背景技術】
【０００３】
バンドの有用な長さを調節するデバイスを提供する必要性に関する問題は、周知である。
【０００４】
一方で、連結体から形成されるバンドの場合、ユーザの手首周囲の長さが、単一の連結体によって、互いに異なる２つのバンド構成の間にある値を有することが可能である。したがって、連結体を除去又は追加するのではなく、バンドの長さのより微細な調節を可能にする、バンドの有用な長さを調節するデバイスを提供することが有用である。
【０００５】
更に、手首周囲の長さの値は、季節により異なり、夏に最大値に達し、冬に最小値に達することも公知である。ここでも、バンド着用者が長さを調節し、バンドの着用快適さを改善することを可能にする、バンドの有用な長さを微細に調節するデバイスを提供することが好ましい。
【０００６】
例として、欧州特許出願第０９１３１０６０Ａ１号は、展開尾錠を有する中留を開示しており、中留は、バンド取り付け棒の端部を収容することを意図する一連の対の穴を有するカバーを有する。２つの対の調節穴は、上述の問題に応じるため、バンドの有用な長さの調節段を画定する距離だけ離れている。
【０００７】
しかし、この種類のバンド長さ調節デバイスは、調節穴がカバーの側部に見えることを考慮すると、魅力に欠ける。更に、この種類の中留を調節する操作は、何らかの技巧を必要とする。というのは、中留は、先のとがった器具を穴に挿入してバンド取り付け棒を押すことを必要とし、このことは、調節を実施する人が不器用である場合にカバーを損傷する危険性を生じさせるためである。
【０００８】
この状況を回避するため、例えば、欧州特許第０３５０７８５Ｂ１号等の代替デバイスが既に開示されており、欧州特許第０３５０７８５Ｂ１号は、上記と同様であるが、代替的に、器具を使用せずに操作することができる、バンドの有用な長さを調節するデバイスを備える中留を開示している。実際、この特許で開示される中留は、２つの条片を有する展開尾錠型のものであり、２つの条片は、ピンにより互いに連接され、ピンは、２つの条片の両方を通過し、条片のそれぞれは、その自由端でバンドへの取り付け部材を支持する。第１の条片は、フックを支え、フックは、第２の条片内に配置した穴内に係合し、穴の中でばね受け具と協働することを意図し、ばね受け具は、フック、したがって中留を閉鎖状態で係止することを可能にする。第２の条片は、特定の事前に定義した範囲内で互いに対して摺動させることができる２つの部品を備え、特定の事前に定義した範囲は、バンドの有用な長さを調節する段を画定する。これら２つの部品の第１の部品は、第１の部品を第１の条片に接続する蝶番を支える一方で、第２の部品は、係止ばね受け具を支える。フックが中で係合して中留を係止する穴は、バンドの長さ方向で、第２の条片の２つの部品の間の摺動範囲に対応する長さを有する。ばね受け具は、中央部品を有し、中央部品は、バンドの長手方向で、フックのための２つの位置を画定し、２つの位置は、バンドの２つの異なる有用な長さに対応する。特にプッシャを含む制御部材は、ばね受け具を作動させ、フックを解放し、中留を開放する。
【０００９】
この構造から得られる１つの欠点は、中留を開放するたび、バンドの長さの調節が失われることであることに留意されたい。したがって、中留を閉鎖するたび、バンド着用者は、フックが、所望のバンド長さに対応するばね受け具の中央部分の側に挿入されていることを確実にしなければならない。
【００１０】
代替として、この種類の欠点を回避する、特定の係止部材を備える調節デバイスも提案されている。
【先行技術文献】
【特許文献】
【００１１】
【特許文献１】欧州特許出願第０９１３１０６０Ａ１号
【特許文献２】欧州特許第０３５０７８５Ｂ１号
【発明の概要】
【発明が解決しようとする課題】
【００１２】
バンドの有用な長さを調節するデバイスを備えるバンド中留を提案することによって、公知の従来技術の中留の欠点を克服することが本発明の主な目的であり、このデバイスは、単純な構造を有し、好ましくは、中留が開放されている場合を含め、安定した調節をもたらし、操作が容易である。
【課題を解決するための手段】
【００１３】
この目的で、本発明は、より詳細には、第１の条片及び第２の条片を備える展開尾錠型のバンド中留に関し、第１の条片及び第２の条片は、第１の条片及び第２の条片のそれぞれの端部の第１の端部によって、着用のための閉鎖位置と少なくとも１つの開放位置との間で互いに連接され、前記第１の条片は、第１のバンド要素を取り付ける部材を支持し、前記第２の下側条片は、その第２の端部で、バンドの長さを調節する手段を支持し、中留は、前記第１の条片及び前記第２の条片をそれらの閉鎖位置で保持する少なくとも１つの係止部材を更に備える。
【００１４】
本発明によれば、前記長さ調節手段は、棒を備え、棒は、第２の条片に対して並進移動可能であり、突起を支持し、突起は、バンド要素内の適切な穴に挿入することを意図し、穴は、突起を中留に固着する点を画定し、可動棒は、第２の条片上に組み付けた２つのプッシャにより移動し、これにより、少なくとも２つの位置を画定することができ、少なくとも２つの位置は、バンドの有用な長さに関連する。
【００１５】
概して、位置のそれぞれは、有利には、穴によって画定することができ、穴は、環部材内に配置され、穴内に突起を部分的に係合することができる。
【００１６】
本発明の他の有利な変形形態によれば、
−前記突起は、突起と一体である基部を有し、前記基部は、環部材内の筐体内を移動するように構成し、
−環部材は、楕円凹部を有し、前記突起は、前記凹部を通過し、
−環部材は、突起の基部と協働するように構成したカバーを有し、突起及び基部は、相補形案内手段を備え、
−相補形案内手段は、一方に、突起と一体である側方羽根、及びもう一方に、前記カバー内に形成した案内溝を備え、溝は、側方羽根を案内するように構成し、
−前記案内溝は、突起の個別の位置を画定するくぼみを備え、
−作動手段は、突起の筐体内部に配置したばねクリック部材を備え、
−カバーは、環部材上に摺動可能に組み付け、ねじによって環部材上に適切な位置で保持し、
−環部材内に形成した筐体は、突起を適切な位置に保持する少なくとも１つの停止部材を含む。
【００１７】
本発明は、本発明による中留を備えるバンド又は手首バンドを含む腕時計にも関する。
【００１８】
本発明の他の特徴及び利点は、添付の図面を参照しながら、非限定的な例として与える好ましい実施形態に対する以下の詳細な説明を読めばより明らかになるであろう。
【図面の簡単な説明】
【００１９】
【図１】本発明による中留の斜視図である。
【図２】本発明による中留の底面斜視図である。
【図３ａ】本発明による、短い位置にある中留の断面図である。
【図３ｂ】本発明による、長い位置にある中留の断面図である。
【図４ａ】本発明による中留の環部材の上面斜視図である。
【図４ｂ】本発明による中留の環部材の底面斜視図である。
【図５ａ】本発明による中留内に含まれる、バンドの有用な長さを調節する手段の図である。
【図５ｂ】本発明による中留内に含まれる、バンドの有用な長さを調節する手段の図である。
【図５ｃ】本発明による中留内に含まれる、バンドの有用な長さを調節する手段の図である。
【発明を実施するための形態】
【００２０】
非限定的に図示する中留は、本発明の好ましい実施形態である。より詳細には、中留１は、展開尾錠型であり、計時器のバンド又はストラップを閉鎖することを意図する。
【００２１】
図１及び図２から特にわかるように、中留１は、第１の条片２を含み、第１の条片２は、ピン６により非限定的、例示的に第２の条片４上に連接される。条片のそれぞれは、バンドの長手方向で細長い形状を有し、着用者の手首の形状により良好に一致するようにわずかに湾曲している。
【００２２】
第１の条片２は、２つの側部材８を含み、２つの側部材８は、ピン６の近傍に位置するその端部で互いに接触して配置され、それぞれ、切り欠き部分を有し、前記側部材が、側部材の長さ部の大部分を超えて互いに接触しないようにする。
【００２３】
側部材８のそれぞれは、ピン６から最も遠い分岐部８の端部近傍で延在部分１０を支持し、延在部分１０は、バンドの長手方向に直交する方向で延在し、図３に示すように、中留の解除制御部材を画定するプッシャを形成する。
【００２４】
更に、第１の条片２の自由端は、中留１に接合することを意図するバンドを保持する手段１１を支持する。
【００２５】
保持手段は、上側壁１３を有するキャップ１２を含み、上側壁１３は、側壁１４を支持する。側壁１４は、バンド要素を従来の様式で固着する棒２０の一端を収容する２つの穴を備える。
【００２６】
第２の条片４は、２つの腕部２２を含み、２つの腕部２２は、横材２４によって腕部２２の中心領域で接続される。腕部２２は、バンド要素の環部材２８を支持する屈曲部分２６によって延在し、環部材２８は、腕部２２の全体方向に対してずれ、バンド要素のための凹部を画定する。
【００２７】
環部材２８は、可動突起３０を有し、可動突起３０は、バンドの穴内に係合し、バンドを中留１に固着する点を画定することを意図する。したがって、可動突起３０は、中留上でバンド固着点の位置を変更する、したがって、着用のためにバンドの長さ部を変更することが可能である。
【００２８】
有利には、第２の条片４の自由端に配置した環部材２８は、中留１に接合することを意図するバンドの有用な長さを調節するデバイスを支持する。
【００２９】
バンドの有用な長さを調節するデバイスは、特に、突起３０を含み、突起３０は、突起３０と一体である長方形形状の基部３１を備え、環部材２８内を移動するように構成される。基部３１は、環部材２８の底部上に設けた長方形筐体３２の内部を摺動することができる。突起３０及び基部３１は、製造業者の要件に応じて、１つ又は２つの部品で作製することができる。
【００３０】
本発明によれば、環部材２８は、環部材２８の上部に形成した楕円凹部４０を含み、楕円凹部４０は、筐体３２上で開口している。したがって、突起３０は、突起３０を環部材上に組み付ける際に凹部を通過し、基部３１は、長方形筐体３２の内部に収容される。
【００３１】
図２に示すように、環部材２８は、突起３０及び基部３１が適切な位置にある際に筐体３２を覆うように構成したカバー２９を有する。カバー２９は、環部材内を摺動するように作製することによって、その自由端が挿入される。カバー２９は、カバー２９を受けるように環部材２８内に機械加工した穴４１の形状と相補形状を有する。このため、カバー２９は、台形断面を有し、縁部（又は側壁）のそれぞれは、環部材２８内に形成した、対応する傾斜溝と協働し、カバー２９と環部材２８との間の接続は、蟻継ぎ組立体を形成する。カバー２９は、カバー２９が環部材上の適切な位置にある際にカバー２９を取り外すことを可能にするねじ４７又はあらゆる他の手段により環部材２８に接合することができる。
【００３２】
図５ｂで観察し得るように、カバー２９は、凹部４２も含み、凹部４２は、カバー２９のの内側面、即ち、環部材２８と接触する面上に形成され、凹部４２は、カバー２９を組み付けた後、環部材の筐体３２に面して配置するように構成される。したがって、筐体３２及び凹部４２は、突起３０の基部３１が少なくとも２つの位置の間で内部を移動し得る空間を画定し、バンドの有用な長さを調節するようにする。
【００３３】
有利には、凹部４２は、２つの側方案内溝４３を含み、２つの側方案内溝４３は、突起３０の基部３１、より詳細には、側方羽根３３と協働するように構成され、側方羽根３３は、前記基部３０の縁部上に配置される。案内溝４３はそれぞれ、少なくとも２つの切り欠き部分４４及び４５を有し、切り欠き部分４４及び４５は、互いに反対側に配置され、突起３０の様々な可能な位置を形成するようにし、側方羽根３２は、突起３０を移動させた後、切り欠き部分４４又は４５の内部に収容される。
【００３４】
案内溝４３及び側方羽根３３は、環部材２８内のカバー２９の構成と同様の蟻継ぎ案内構成をもたらす。当業者は、別のより従来的な種類の案内構成を作製する際、特別な困難をもたないであろう。直線状の溝も案内に使用することができる。この蟻継ぎ案内構成は、より堅牢で、見えずらく、構成要素間の遊びを低減し、したがって、より正確であるという利点を有し、また、カバー２９を筐体４１に摺動した後の組み立ても容易にするものであり、カバーと環部材との間の組み立てを除き、ねじ４７が応力又はひずみを受けないことを保証する。
【００３５】
図２、図３ａ及び図３ｂから観察し得るように、突起３０は、ばねクリック部材３４を含み、ばねクリック部材３４は、突起３０の本体内に形成した筐体内に配置される。クリック部材は、クリック部材の頭部が、基部３１に形成した口を通じて、基部３１からわずかに突出するように配置するように構成される。ばねクリック部材３４は、凹部４２の底部と接触するように構成され、着用者がばねクリック部材３４を押して突起３０を一方の位置からもう一方の位置に移動させると突起３０の本体の中に後退する。
【００３６】
図５ｃから観察し得るように、筐体３２は、停止部材３５を有し、突起３０を組み付け、カバー２９によって保持した後に突起３０の基部３１に対して間隙がないようにする。
【００３７】
したがって、着用者がバンドの長さの変更を望む際、着用者は、突起３０を押し、案内溝４３内に形成した切り欠き部分４４から基部３１の側方羽根を外し、次に、側方羽根３３が切り欠き部分４５に面する第２の位置に向かって突起３０を摺動させることによって、突起３０の位置を変更することができる。位置を選択した後、着用者は、突起３０を解放し、この位置は、突起が再度上に移動して羽根３３が切り欠き部分４５内に収容されたときに係止される。
【００３８】
突起３０が筐体３２の内部で適切な位置にある際にカバー２９を環部材２８上に組み付けることは、切り込み４６によって容易になり、切り込み４６は、凹部４２への入口に配置した勾配を有する。このようにして、カバー２９を、機械加工した穴４１に挿入し、次に摺動させると、切り込み４６の勾配は、ばねクリック部材３４を係止することなく案内する。
【００３９】
更に、従来の係止手段を設け、中留を閉鎖状態で保持する。この目的で、従来の係止機構は、延在部分１０によって形成したプッシャ上に圧力が同時に加えられない場合、第１の条片２を第２の条片４上に係止して保持するように構成される。延在部分１０はそれぞれ、固定フックを有し、固定フックはそれぞれ、第２の条片４の腕部２２上に配設したフックと協働するように構成される。
【００４０】
延在部分１０が作動されると、フックは、互いに遠ざかり、中留を開放状態に移動させる。
【００４１】
欧州特許出願第０９１３１０６０Ａ１号は、この種類の中留を詳細に開示しており、当業者は、必要な場合、当該出願を参照することができる。
【００４２】
第２の条片４の腕部２２の間の空間は、中留１の閉鎖状態において第１の条片２を公知の様式で収容する凹部を画定する。
【００４３】
中留１は、図３ａでは長い構成で示される。突起を図の左の方に移動させると、（図示しない）バンドはしたがって短くなり、図３ｂで表す位置を占める。
【００４４】
本発明による中留が、突起を含み、突起を移動させてバンドの有用な長さを調節し得ることは、本開示から明らかである。この突起の設計及び動作は単純であり、ユーザが必要に応じて中留を容易に調節することを可能にする。
【００４５】
上記の説明は、非限定的な例示により特定の実施形態を説明しようとするものであり、本発明は、例えば、条片に対して具体的に説明した例示的形状、又は中留を係止するために協働する様式等、たった今説明したある特定の特徴の実装形態に限定されるものではない。
【００４６】
当業者は、本発明の範囲から逸脱することなく、本開示の内容を独自の要件に適応させる際、及び特に計時器のための中留を実装する際、特定の困難は生じないであろう。例えば、本明細書の教示を、本明細書で例示、説明したものとは異なる構造を有する展開尾錠の設計に適応させることは、当業者にとって特定の困難を生じさせないことに留意されたい。
【００４７】
更に、本発明による中留は、突起の２つの位置の実装形態、又は更にはバンドの有用な長さを調節する２つの位置に限定されない。実際、本明細書の教示を、より多くの数の可能な調節位置を有する中留の実装形態に適応させる際にも、当業者に特定の困難は生じないであろう。
【符号の説明】
【００４８】
１  中留
２  第１の条片
４  第２の条片
１１  係止部材
２８  環部材
３０  突起
３２  筐体
３４  作動手段
４０  楕円凹部
【図１】
2020093094.tif 000003
【図２】
2020093094.tif 000004
【図３ａ】
2020093094.tif 000005
【図３ｂ】
2020093094.tif 000006
【図４ａ】
2020093094.tif 000007
【図４ｂ】
2020093094.tif 000008
【図５ａ】
2020093094.tif 000009
【図５ｂ】
2020093094.tif 000010
【図５ｃ】
2020093094.tif 000011
【外国語明細書】
2020093094000001.pdf